【手続補正書】
【提出日】平成19年8月9日(2007.8.9)
【手続補正１】
【補正対象書類名】明細書
【補正対象項目名】特許請求の範囲
【補正方法】変更
【補正の内容】
【特許請求の範囲】
【請求項１】  長手中央軸心、第一の端部および第二の端部を有する円筒状変速機ハウジングと、
回転可能に取付けられた第一の遊星歯車群と、前記変速機ハウジングの前記第二の端部に向けて該第一の遊星歯車群から長手方向に離間されて回転可能に取付けられた第二の遊星歯車群とを担持し乍ら前記変速機ハウジング内で回転すべく取付けられた遊星歯車キャリアと、
前記第一の群の前記各遊星歯車は、同一方位および同一角度の螺旋カットを有しており、
前記第二の群の前記各遊星歯車は、前記第一の群の前記各遊星歯車の螺旋カットの方位および角度と逆方向となる同一方位および同一角度の螺旋カットを有しており、
前記変速機ハウジング上に配設された第一の筒状リング歯車であって、前記変速機ハウジングの前記長手中央軸心の方向において該変速機ハウジングの前記第一の端部に向かう軸心方向移動が規制され、且つ、前記変速機ハウジングの円周方向における円周方向移動からも規制された、第一の筒状リング歯車と、
前記第一の筒状リング歯車は、前記第一の群の各遊星歯車の前記螺旋カットの方位および角度と逆方向の方位および角度を有しており、
前記第一の群の前記各遊星歯車は、前記遊星歯車キャリアの回転時に前記第一のリング歯車内で回転すべく前記第一のリング歯車と噛合しており、
前記変速機ハウジング上に配設された第二の筒状リング歯車であって、前記変速機ハウジングの前記長手中央軸心の方向において該変速機ハウジングの前記第二の端部に向かう軸心方向移動が規制され、且つ、前記変速機ハウジングの円周方向における円周方向移動からも規制された、第二の筒状リング歯車と、
前記第二の筒状リング歯車は、前記第二の群の各遊星歯車の前記螺旋カットの方位および角度と逆方向の方位および角度を有しており、
前記第二の群の前記各遊星歯車は、前記遊星歯車キャリアの回転時に前記第二のリング歯車内で回転すべく前記第二のリング歯車と噛合しており、
前記変速機ハウジング内で回転すべく取付けられると共に、前記変速機ハウジングの前記長手中央軸心と平行で該長手中央軸心に一致する軸心を有する太陽歯車シャフトと、
前記太陽歯車シャフトは、前記変速機ハウジングの前記第一の端部の近傍の第一の端部と、前記変速機ハウジングの前記第二の端部の近傍の第二の端部とを有しており、
前記太陽歯車シャフト上で軸心方向移動すべく、更には当該第一の太陽歯車と前記太陽歯車シャフトとの間で回転動力を伝達すべく、前記太陽歯車シャフト上に取付けられた第一の太陽歯車と、
前記第一の太陽歯車は、前記第一の群の前記各遊星歯車の螺旋カットの方位および角度と逆方向の方位および角度の螺旋カットを有しており、
前記第一の太陽歯車は、該第一の太陽歯車と前記第一の群の前記各遊星歯車との間で回転動力を伝達すべく前記第一の群の前記各遊星歯車と噛合しており、
前記太陽歯車シャフト上で軸心方向移動すべく、更には当該第二の太陽歯車と前記太陽歯車シャフトとの間で回転動力を伝達すべく、前記太陽歯車シャフト上に取付けられた第二の太陽歯車と、
前記第二の太陽歯車は、前記第二の群の前記各遊星歯車の螺旋カットの方位および角度と逆方向の方位および角度の螺旋カットを有しており、
前記第二の太陽歯車は、該第二の太陽歯車と前記第二の群の前記各遊星歯車との間で回転動力を伝達すべく前記第二の群の前記各遊星歯車と噛合しており、
前記太陽歯車シャフト軸心の方向において前記第一の太陽歯車と前記第二の太陽歯車との間で力を伝達すべく前記第一の太陽歯車および前記第二の太陽歯車の間に配設された部材と、
を備え、
前記第一の太陽歯車および前記第二の太陽歯車上の夫々の螺旋カットは、前記第一の群の前記各遊星歯車および前記第二の群の前記各遊星歯車と夫々噛合する前記第一の太陽歯車および前記第二の太陽歯車が回転すると前記太陽歯車シャフトの軸心方向において前記第一の太陽歯車および前記第二の太陽歯車を相互に向けて付勢する力を確立する如き、方位および角度を有する、
遊星歯車変速機。
【請求項２】  前記遊星歯車キャリアは、前記変速機ハウジングの前記第二の端部に向けて前記第二の遊星歯車群から長手方向に離間されて回転可能に取付けられた第三の遊星歯車群を担持し、
前記第三の群の前記各遊星歯車は、前記第二の群の前記各遊星歯車の螺旋カットの方位および角度と逆方向となる同一方位および同一角度の螺旋カットを有しており、
当該遊星歯車変速機は、
前記変速機ハウジング上に配設された第三の筒状リング歯車であって、前記変速機ハウジングの前記長手中央軸心の方向においては軸心方向移動すべく、且つ、前記変速機ハウジングの円周方向における円周方向移動は規制されて前記変速機ハウジング上に取付けられた、第三の筒状リング歯車と、
前記第三の筒状リング歯車は、前記第三の群の各遊星歯車の前記螺旋カットの方位および角度と逆方向の方位および角度を有しており、
前記第三の群の前記各遊星歯車は、前記遊星歯車キャリアの回転時に前記第三のリング歯車内で回転すべく前記第三のリング歯車と噛合しており、
前記変速機ハウジング上に配設された前記第二の筒状リング歯車は、前記変速機ハウジングの前記長手中央軸心の方向に軸心方向移動すべく前記変速機ハウジング上に取付けられており、
前記変速機ハウジングの前記長手中央軸心の方向において前記第二の筒状リング歯車と前記第三の筒状リング歯車との間で力を伝達すべく前記第二の筒状リング歯車と前記第三の筒状リング歯車との間に配設された部材と、
前記太陽歯車シャフトの前記第二の端部に向かう前記太陽歯車シャフト上での軸心方向移動が規制され、更には当該第三の太陽歯車と前記太陽歯車シャフトとの間で回転動力を伝達すべく、前記太陽歯車シャフト上に取付けられた第三の太陽歯車と、
を更に備え、
前記第三の太陽歯車は、前記第三の群の前記各遊星歯車の螺旋カットの方位および角度と逆方向の方位および角度の螺旋カットを有しており、
前記第三の太陽歯車は、該第三の太陽歯車と前記第三の群の前記各遊星歯車との間で回転動力を伝達すべく前記第三の群の前記各遊星歯車と噛合している、
請求項１記載の遊星歯車変速機。
【請求項３】  前記遊星歯車キャリアは、前記変速機ハウジングの前記第二の端部に向けて前記第二の遊星歯車群から長手方向に離間されて回転可能に取付けられた第三の遊星歯車群を担持し、
前記第三の群の前記各遊星歯車は、前記第二の群の前記各遊星歯車の螺旋カットの方位および角度と逆方向となる同一方位および同一角度の螺旋カットを有しており、
当該遊星歯車変速機は、
前記変速機ハウジング上に配設された第三の筒状リング歯車であって、前記変速機ハウジングの前記長手中央軸心の方向においては軸心方向移動すべく、且つ、前記変速機ハウジングの円周方向における円周方向移動は規制されて前記変速機ハウジング上に取付けられた、第三の筒状リング歯車と、
前記第三の筒状リング歯車は、前記第三の群の各遊星歯車の前記螺旋カットの方位および角度と逆方向の方位および角度を有しており、
前記第三の群の前記各遊星歯車は、前記遊星歯車キャリアの回転時に前記第三のリング歯車内で回転すべく前記第三のリング歯車と噛合しており、
前記太陽歯車シャフト上で軸心方向移動すべく、更には当該第三の太陽歯車と前記太陽歯車シャフトとの間で回転動力を伝達すべく、前記太陽歯車シャフト上に取付けられた第三の太陽歯車と、
前記第三の太陽歯車は、前記第三の群の前記各遊星歯車の螺旋カットの方位および角度と逆方向の方位および角度の螺旋カットを有しており、
前記第三の太陽歯車は、該第三の太陽歯車と前記第三の群の前記各遊星歯車との間で回転動力を伝達すべく前記第三の群の前記各遊星歯車と噛合しており、
前記遊星歯車キャリアは、前記変速機ハウジングの前記第二の端部に向けて前記第三の遊星歯車群から長手方向に離間されて回転可能に取付けられた第四の遊星歯車群を担持し、
前記第四の群の前記各遊星歯車は、前記第三の群の前記各遊星歯車の螺旋カットの方位および角度と逆方向となる同一方位および同一角度の螺旋カットを有しており、
前記変速機ハウジング上に配設された第四の筒状リング歯車であって、前記変速機ハウジングの前記長手中央軸心の方向において該変速機ハウジングの前記第二の端部に向かう軸心方向移動が規制され、且つ、前記変速機ハウジングの円周方向における円周方向移動からも規制された、第四の筒状リング歯車と、
前記第四の筒状リング歯車は、前記第四の群の各遊星歯車の前記螺旋カットの方位および角度と逆方向の方位および角度を有しており、
前記第四の群の前記各遊星歯車は、前記遊星歯車キャリアの回転時に前記第四のリング歯車内で回転すべく前記第四のリング歯車と噛合しており、
前記太陽歯車シャフト上で軸心方向移動すべく、更には当該第四の太陽歯車と前記太陽歯車シャフトとの間で回転動力を伝達すべく、前記太陽歯車シャフト上に取付けられた第四の太陽歯車と、
前記第四の太陽歯車は、前記第四の群の前記各遊星歯車の螺旋カットの方位および角度と逆方向の方位および角度の螺旋カットを有しており、
前記第四の太陽歯車は、該第四の太陽歯車と前記第四の群の前記各遊星歯車との間で回転動力を伝達すべく前記第四の群の前記各遊星歯車と噛合しており、
前記太陽歯車シャフト軸心の方向において前記第三の太陽歯車と前記第四の太陽歯車との間で力を伝達すべく前記第三の太陽歯車および前記第三の太陽歯車の間に配設された部材と、
前記変速機ハウジング上に配設された前記第二の筒状リング歯車は、前記変速機ハウジングの前記長手中央軸心の方向に軸心方向移動すべく前記変速機ハウジング上に取付けられており、
前記変速機ハウジングの前記長手中央軸心の方向において前記第二の筒状リング歯車と前記第三の筒状リング歯車との間で力を伝達すべく前記第二の筒状リング歯車と前記第三の筒状リング歯車との間に配設された部材と、
を更に備え、
前記第三の太陽歯車および前記第四の太陽歯車上の夫々の螺旋カットは、前記第三の群の前記各遊星歯車および前記第四の群の前記各遊星歯車と夫々噛合する前記第三の太陽歯車および前記第四の太陽歯車が回転すると前記太陽歯車シャフトの軸心方向において前記第三の太陽歯車および前記第四の太陽歯車を相互に向けて付勢する力を確立する如き、方位および角度を有し、
前記第二の筒状リング歯車および前記第三の筒状リング歯車上の夫々の螺旋カットは、前記第二の筒状リング歯車および前記第三の筒状リング歯車と夫々噛合する前記第二の群の前記各遊星歯車および前記第三の群の前記各遊星歯車が回転すると前記変速機ハウジングの前記長手中央軸心の方向において前記第二の筒状リング歯車および前記第三の筒状リング歯車を相互に向けて付勢する力を確立する如き、方位および角度を有する、
請求項１記載の遊星歯車変速機。
【請求項４】  前記遊星歯車キャリアは回転可能に取付けられた複数群の螺旋カット遊星歯車を担持し、
当該遊星歯車変速機は、
前記変速機ハウジング上に配設された複数の螺旋カット筒状リング歯車と、
前記複数群の螺旋カット遊星歯車は、前記遊星歯車キャリアの回転時に夫々の螺旋カット筒状リング歯車内で回転すべく夫々の螺旋カット筒状リング歯車と噛合しており、
当該各太陽歯車と前記太陽歯車シャフトとの間で回転動力を伝達すべく前記太陽歯車シャフト上に取付けられた複数の螺旋カット太陽歯車であって、夫々の螺旋カット太陽歯車と夫々の螺旋カット遊星歯車群との間で回転動力を伝達すべく夫々の螺旋カット遊星歯車群と噛合する、複数の螺旋カット太陽歯車と、
を更に備えて成る、請求項１記載の遊星歯車変速機。
【請求項５】  長手中央軸心、第一の端部および第二の端部を有する円筒状変速機ハウジングと、
回転可能に取付けられた第一の遊星歯車群と、前記変速機ハウジングの前記第二の端部に向けて該第一の遊星歯車群から長手方向に離間されて回転可能に取付けられた第二の遊星歯車群とを担持し乍ら前記変速機ハウジング内で回転すべく取付けられた遊星歯車キャリアと、
前記第一の群の前記各遊星歯車は、同一方位および同一角度の螺旋カットを有しており、
前記第二の群の前記各遊星歯車は、前記第一の群の前記各遊星歯車の螺旋カットの方位および角度と逆方向となる同一方位および同一角度の螺旋カットを有しており、
前記変速機ハウジング上に配設された第一の筒状リング歯車であって、前記変速機ハウジングの前記長手中央軸心の方向においては移動すべく、且つ、前記変速機ハウジングの円周方向における円周方向移動は規制された、第一の筒状リング歯車と、
前記第一の筒状リング歯車は、前記第一の群の各遊星歯車の前記螺旋カットの方位および角度と逆方向の方位および角度を有しており、
前記第一の群の前記各遊星歯車は、前記遊星歯車キャリアの回転時に前記第一のリング歯車内で回転すべく前記第一のリング歯車と噛合しており、
前記変速機ハウジング上に配設された第二の筒状リング歯車であって、前記変速機ハウジングの前記長手中央軸心の方向においては移動すべく、且つ、前記変速機ハウジングの円周方向における円周方向移動は規制された、第二の筒状リング歯車と、
前記第二の筒状リング歯車は、前記第二の群の各遊星歯車の前記螺旋カットの方位および角度と逆方向の方位および角度を有しており、
前記第二の群の前記各遊星歯車は、前記遊星歯車キャリアの回転時に前記第二のリング歯車内で回転すべく前記第二のリング歯車と噛合しており、
前記変速機ハウジングの前記長手中央軸心の方向において前記第一の筒状リング歯車と前記第二の筒状リング歯車との間で力を伝達すべく前記第一の筒状リング歯車と前記第二の筒状リング歯車との間に配設された部材と、
前記変速機ハウジング内で回転すべく取付けられると共に、前記変速機ハウジングの前記長手中央軸心と平行で該長手中央軸心に一致する軸心を有する太陽歯車シャフトと、
前記太陽歯車シャフトは、前記変速機ハウジングの前記第一の端部の近傍の第一の端部と、前記変速機ハウジングの前記第二の端部の近傍の第二の端部とを有しており、
前記太陽歯車シャフトの前記第一の端部に向かう前記太陽歯車シャフト上での軸心方向移動が規制され、更には当該第一の太陽歯車と前記太陽歯車シャフトとの間で回転動力を伝達すべく、前記太陽歯車シャフト上に取付けられた第一の太陽歯車と、
前記第一の太陽歯車は、前記第一の群の前記各遊星歯車の螺旋カットの方位および角度と逆方向の方位および角度の螺旋カットを有しており、
前記第一の太陽歯車は、該第一の太陽歯車と前記第一の群の前記各遊星歯車との間で回転動力を伝達すべく前記第一の群の前記各遊星歯車と噛合しており、
前記太陽歯車シャフトの前記第二の端部に向かう前記太陽歯車シャフト上での軸心方向移動が規制され、更には当該第二の太陽歯車と前記太陽歯車シャフトとの間で回転動力を伝達すべく、前記太陽歯車シャフト上に取付けられた第二の太陽歯車と、
を備え、
前記第二の太陽歯車は、前記第二の群の前記各遊星歯車の螺旋カットの方位および角度と逆方向の方位および角度の螺旋カットを有しており、
前記第二の太陽歯車は、該第二の太陽歯車と前記第二の群の前記各遊星歯車との間で回転動力を伝達すべく前記第二の群の前記各遊星歯車と噛合しており、
前記第一の筒状リング歯車および前記第二の筒状リング歯車の夫々の螺旋カットは、前記第一の筒状リング歯車および前記第二の筒状リング歯車と夫々噛合する前記第一の群の前記各遊星歯車および前記第二の群の前記各遊星歯車が回転すると前記変速機ハウジングの前記長手中央軸心の方向において前記第一の筒状リング歯車および前記第二の筒状リング歯車を相互に向けて付勢する力を確立する如き、方位および角度を有する、
遊星歯車変速機。
【請求項６】  前記遊星歯車キャリアは、前記変速機ハウジングの前記第二の端部に向けて前記第二の遊星歯車群から長手方向に離間されて回転可能に取付けられた第三の遊星歯車群を担持し、
前記第三の群の前記各遊星歯車は、前記第二の群の前記各遊星歯車の螺旋カットの方位および角度と逆方向となる同一方位および同一角度の螺旋カットを有しており、
当該遊星歯車変速機は、
前記変速機ハウジング上に配設された第三の筒状リング歯車であって、前記変速機ハウジングの前記長手中央軸心の方向において該変速機ハウジングの前記第二の端部に向かう移動が規制され、且つ、前記変速機ハウジングの円周方向における円周方向移動からも規制された、第三の筒状リング歯車と、
前記第三の筒状リング歯車は、前記第三の群の各遊星歯車の前記螺旋カットの方位および角度と逆方向の方位および角度を有しており、
前記第三の群の前記各遊星歯車は、前記遊星歯車キャリアの回転時に前記第三のリング歯車内で回転すべく前記第三のリング歯車と噛合しており、
前記太陽歯車シャフト上で軸心方向移動すべく、更には当該第三の太陽歯車と前記太陽歯車シャフトとの間で回転動力を伝達すべく、前記太陽歯車シャフト上に取付けられた第三の太陽歯車と、
前記第三の太陽歯車は、前記第三の群の前記各遊星歯車の螺旋カットの方位および角度と逆方向の方位および角度の螺旋カットを有しており、
前記第三の太陽歯車は、該第三の太陽歯車と前記第三の群の前記各遊星歯車との間で回転動力を伝達すべく前記第三の群の前記各遊星歯車と噛合しており、
前記第二の太陽歯車は前記太陽歯車シャフト上で軸心方向移動すべく該太陽歯車シャフト上に取付けられており、
前記太陽歯車シャフト軸心の方向において前記第二の太陽歯車と前記第三の太陽歯車との間で力を伝達すべく前記第二の太陽歯車および前記第三の太陽歯車の間に配設された部材と、
を更に備えて成る、請求項５記載の遊星歯車変速機。
【請求項７】  前記遊星歯車キャリアは、前記変速機ハウジングの前記第二の端部に向けて前記第二の遊星歯車群から長手方向に離間されて回転可能に取付けられた第三の遊星歯車群を担持し、
前記第三の群の前記各遊星歯車は、前記第二の群の前記各遊星歯車の螺旋カットの方位および角度と逆方向となる同一方位および同一角度の螺旋カットを有しており、
当該遊星歯車変速機は、
前記変速機ハウジング上に配設された第三の筒状リング歯車であって、前記変速機ハウジングの前記長手中央軸心の方向に移動すべく、且つ、前記変速機ハウジングの円周方向における円周方向移動は規制されて前記変速機ハウジング上に取付けられた、第三の筒状リング歯車と、
前記第三の筒状リング歯車は、前記第三の群の各遊星歯車の前記螺旋カットの方位および角度と逆方向の方位および角度を有しており、
前記第三の群の前記各遊星歯車は、前記遊星歯車キャリアの回転時に前記第三のリング歯車内で回転すべく前記第三のリング歯車と噛合しており、
前記太陽歯車シャフト上で軸心方向移動すべく、更には当該第三の太陽歯車と前記太陽歯車シャフトとの間で回転動力を伝達すべく、前記太陽歯車シャフト上に取付けられた第三の太陽歯車と、
前記第三の太陽歯車は、前記第三の群の前記各遊星歯車の螺旋カットの方位および角度と逆方向の方位および角度の螺旋カットを有しており、
前記第三の太陽歯車は、該第三の太陽歯車と前記第三の群の前記各遊星歯車との間で回転動力を伝達すべく前記第三の群の前記各遊星歯車と噛合しており、
前記遊星歯車キャリアは、前記変速機ハウジングの前記第二の端部に向けて前記第三の遊星歯車群から長手方向に離間されて回転可能に取付けられた第四の遊星歯車群を担持し、
前記第四の群の前記各遊星歯車は、前記第三の群の前記各遊星歯車の螺旋カットの方位および角度と逆方向となる同一方位および同一角度の螺旋カットを有しており、
前記変速機ハウジング上に配設された第四の筒状リング歯車であって、前記変速機ハウジングの前記長手中央軸心の方向においては移動すべく、且つ、前記変速機ハウジングの円周方向における円周方向移動は規制された、第四の筒状リング歯車と、
前記第四の筒状リング歯車は、前記第四の群の各遊星歯車の前記螺旋カットの方位および角度と逆方向の方位および角度を有しており、
前記第四の群の前記各遊星歯車は、前記遊星歯車キャリアの回転時に前記第四のリング歯車内で回転すべく前記第四のリング歯車と噛合しており、
前記変速機ハウジングの前記長手中央軸心の方向において前記第三の筒状リング歯車と前記第四の筒状リング歯車との間で力を伝達すべく前記第三の筒状リング歯車と前記第四の筒状リング歯車との間に配設された部材と、
前記太陽歯車シャフトの前記第二の端部に向かう前記太陽歯車シャフト上での軸心方向移動が規制され、更には当該第四の太陽歯車と前記太陽歯車シャフトとの間で回転動力を伝達すべく、前記太陽歯車シャフト上に取付けられた第四の太陽歯車と、
前記第四の太陽歯車は、前記第四の群の前記各遊星歯車の螺旋カットの方位および角度と逆方向の方位および角度の螺旋カットを有しており、
前記第四の太陽歯車は、該第四の太陽歯車と前記第四の群の前記各遊星歯車との間で回転動力を伝達すべく前記第四の群の前記各遊星歯車と噛合しており、
前記第二の太陽歯車は前記太陽歯車シャフト上で軸心方向移動すべく前記太陽歯車シャフト上に取付けられており、
前記太陽歯車シャフト軸心の方向において前記第二の太陽歯車と前記第三の太陽歯車との間で力を伝達すべく前記第二の太陽歯車および前記第三の太陽歯車の間に配設された部材と、
を更に備え、
前記第二の太陽歯車および前記第三の太陽歯車上の夫々の螺旋カットは、前記第二の群の前記各遊星歯車および前記第三の群の前記各遊星歯車と夫々噛合する前記第二の太陽歯車および前記第三の太陽歯車が回転すると前記太陽歯車シャフトの軸心方向において前記第二の太陽歯車および前記第三の太陽歯車を相互に向けて付勢する力を確立する如き、方位および角度を有し、
前記第三の筒状リング歯車および前記第四の筒状リング歯車上の夫々の螺旋カットは、前記第三の筒状リング歯車および前記第四の筒状リング歯車と夫々噛合する前記第三の群の前記各遊星歯車および前記第四の群の前記各遊星歯車が回転すると前記変速機ハウジングの前記長手中央軸心の方向において前記第三の筒状リング歯車および前記第四の筒状リング歯車を相互に向けて付勢する力を確立する如き、方位および角度を有する、
請求項５記載の遊星歯車変速機。
【請求項８】  前記遊星歯車キャリアは回転可能に取付けられた複数群の螺旋カット遊星歯車を担持し、
当該遊星歯車変速機は、
前記変速機ハウジング上に配設された複数の螺旋カット筒状リング歯車と、
前記複数群の螺旋カット遊星歯車は、前記遊星歯車キャリアの回転時に夫々の螺旋カット筒状リング歯車内で回転すべく夫々の螺旋カット筒状リング歯車と噛合しており、
当該各太陽歯車と前記太陽歯車シャフトとの間で回転動力を伝達すべく前記太陽歯車シャフト上に取付けられた複数の螺旋カット太陽歯車であって、夫々の螺旋カット太陽歯車と夫々の螺旋カット遊星歯車群との間で回転動力を伝達すべく夫々の螺旋カット遊星歯車群と噛合する、複数の螺旋カット太陽歯車と、
を更に備えて成る、請求項５記載の遊星歯車変速機。
【請求項９】  遊星歯車変速機により回転力を伝達する伝達方法において、
長手軸心方向を有する円筒状変速機ハウジングを提供し、
前記円筒状変速機ハウジングに少なくとも三つの遊星歯車群を提供し、それぞれの遊星歯車群は遊星歯車キャリアに配置された複数の螺旋カットの遊星歯車と、前記変速機ハウジングに配置された螺旋カットのリング歯車と、前記円筒状変速機ハウジングの前記長手軸心方向に対して平行に取付けられた太陽歯車シャフトに配置された太陽歯車とを有しており、
さらに、
それぞれの遊星歯車群のそれぞれの螺旋カットの遊星歯車をそれぞれの螺旋カットのリング歯車およびそれぞれの螺旋カットの太陽歯車に係合させ、
前記太陽歯車シャフト上における長手軸心方向運動のために、少なくとも一つの遊星歯車群の前記螺旋カットの太陽歯車を前記太陽歯車シャフトに取付け、前記変速機ハウジング上における長手軸心方向運動のために、少なくとも一つの遊星歯車群の前記螺旋カットのリング歯車を前記変速機ハウジングに取付け、
前記遊星歯車変速機にトルクを掛け、その結果、長手軸心方向運動のために取付けられたそれぞれの螺旋カットの太陽歯車と、長手軸心方向運動のために取付けられたそれぞれの螺旋カットのリング歯車とが長手軸心方向運動し、それにより、前記少なくとも三つの遊星歯車群のそれぞれの遊星歯車群において負荷を均等に分担するようにした、伝達方法。
【請求項１０】  さらに、三つ以上の前記遊星歯車群を提供することを含む請求項９に記載の、遊星歯車変速機により回転力を伝達する伝達方法。
【請求項１１】  少なくとも一つの前記遊星歯車群に対してトルクを掛けることによって、前記一つの遊星歯車群の前記螺旋カットの太陽歯車と前記螺旋カットのリング歯車が長手軸心反対方向に移動するようにした請求項９に記載の、遊星歯車変速機により回転力を伝達する伝達方法。
【請求項１２】  一つ以上の前記遊星歯車群に対してトルクを掛けることによって、前記一つ以上の遊星歯車群のそれぞれの遊星歯車群における前記螺旋カットの太陽歯車と前記螺旋カットのリング歯車とが長手軸心反対方向に移動するようにした請求項１０に記載の、遊星歯車変速機により回転力を伝達する伝達方法。
【請求項１３】  遊星歯車変速機により回転力を伝達する伝達方法において、
長手軸心方向を有する円筒状変速機ハウジングを提供し、
前記円筒状変速機ハウジングに二つの遊星歯車群を提供し、それぞれの遊星歯車群は遊星歯車キャリアに配置された複数の螺旋カットの遊星歯車と、前記変速機ハウジングに配置された螺旋カットのリング歯車と、前記円筒状変速機ハウジングの前記長手軸心方向に対して平行に取付けられた太陽歯車シャフトに配置された太陽歯車とを有しており、
さらに、
それぞれの遊星歯車群のそれぞれの螺旋カットの遊星歯車をそれぞれの螺旋カットのリング歯車およびそれぞれの螺旋カットの太陽歯車に係合させ、
前記変速機ハウジング上における長手軸心方向運動のために、前記二つの遊星歯車群の前記螺旋カットのリング歯車を前記変速機ハウジングに取付け、
前記遊星歯車変速機にトルクを掛け、その結果、長手軸心方向運動のために取付けられた螺旋カットのリング歯車を長手軸心方向運動させ、それにより、前記二つの遊星歯車群の間において負荷を均等に分担するようにした、伝達方法。